【手続補正書】
【提出日】平成16年6月1日(2004.6.1)
【手続補正１】
【補正対象書類名】明細書
【補正対象項目名】特許請求の範囲
【補正方法】変更
【補正の内容】
【特許請求の範囲】
【請求項１】
電極と、下記式：
【化１】
1998106749.tif 000001
[上記式（Ｉ）において、
ｎは３から８の整数であり、
ＺはＯ、ＮＲ、またはＳであり、
Ｒ及びＲ’は、個々に、水素、１から２４の炭素原子を持つアルキル、５から２０炭素原子のアリールまたはヘテロ原子置換アリール、または、ハロゲン、または縮合芳香環を完成するのに必要な原子であり、
Ｂは、アルキル、アリール、置換アルキル、置換アリールまたは
【化２】
1998106749.tif 000002
（式中、Ｘは、Ｏ、Ｓ、ＳＯ2、ＣＨ2、ＣＨＲ１、ＣＲ２Ｒ３またはＮＲ４であり、かつＲ１、Ｒ２、Ｒ３及びＲ４は、個々に、水素、１から２４炭素原子の飽和脂肪族基、６から２０炭素原子のアリールまたはヘテロ原子置換アリール、またはハロゲンであり；あるいは、Ｒ１、Ｒ２、Ｒ３及びＲ４は、個々に、縮合芳香環を完成するために必要な原子である）
【化３】
1998106749.tif 000003
（式中、Ｘ及びＹは、Ｏ、Ｓ、ＳＯ2、ＣＨ2、ＣＨＲ１、ＣＲ２Ｒ３またはＮＲ４であり、かつＲ１、Ｒ２、Ｒ３及びＲ４は、個々に、水素、１から２４炭素原子の飽和脂肪族基、６から２０炭素原子のアリールまたはヘテロ原子置換アリール、またはハロゲンであり；あるいは、Ｒ１、Ｒ２、Ｒ３及びＲ４は、個々に、縮合芳香環を完成するために必要な原子である）
【化４】
1998106749.tif 000004
（式中、Ｚは、ＯまたはＣ（ＣＮ）2であり、Ｘは、Ｏ、Ｓ、ＳＯ2、ＣＨ2、ＣＨＲ１、ＣＲ２Ｒ３またはＮＲ４であり、かつＲ１、Ｒ２、Ｒ３及びＲ４は、個々に、水素、１から２４炭素原子の飽和脂肪族基、６から２０炭素原子のアリールまたはヘテロ原子置換アリール、またはハロゲンであり；あるいは、Ｒ１、Ｒ２、Ｒ３及びＲ４は、個々に、縮合芳香環を完成するために必要な原子である）
からなる群から選択したヘテロアリールからなる結合単位であり、Ｂが複数のベンザゾールを共役的または非共役的に互いに結合する]
で表されるベンザゾール化合物を含有する少なくとも１つの電子伝達層とを具備する有機エレクトロルミネセンスデバイス。
【請求項２】
前記結合単位Ｂが、下記式：
【化５】
1998106749.tif 000005
である請求項１記載の有機エレクトロルミネセンスデバイス。
【請求項３】
前記結合単位Ｂが、下記式：
【化６】
1998106749.tif 000006
である請求項１記載の有機エレクトロルミネセンスデバイス。
【請求項４】
前記結合単位Ｂが、下記式：
【化７】
1998106749.tif 000007
である請求項１記載の有機エレクトロルミネセンスデバイス。
【請求項５】
前記結合単位Ｂが、下記式：
【化８】
1998106749.tif 000008
である請求項１記載の有機エレクトロルミネセンスデバイス。
【請求項６】
前記結合単位Ｂが、下記式：
【化９】
1998106749.tif 000009
である請求項１記載の有機エレクトロルミネセンスデバイス。
【請求項７】
前記結合単位Ｂが、下記式：
【化１０】
1998106749.tif 000010
（式中、Ｚは、ＯまたはＣ（ＣＮ）2である）
からなる請求項１記載の有機エレクトロルミネセンスデバイス。
【請求項８】
前記結合単位Ｂが、下記式：
【化１１】
1998106749.tif 000011
（式中、Ｘは、Ｏ、Ｓ、ＳＯ2、ＣＨ2、ＣＨＲ１、ＣＲ２Ｒ３またはＮＲ４であり、かつＲ１、Ｒ２、Ｒ３及びＲ４は、個々に、水素、１から２４炭素原子の飽和脂肪族基、６から２０炭素原子のアリールまたはヘテロ原子置換アリール、またはハロゲンであり；あるいは、Ｒ１、Ｒ２、Ｒ３及びＲ４は、個々に、縮合芳香環を完成するために必要な原子である）
である請求項１記載の有機エレクトロルミネセンスデバイス。
【請求項９】
前記結合単位Ｂが、下記式：
【化１２】
1998106749.tif 000012
（式中、Ｚは、ＯまたはＣ（ＣＮ）2である）または
【化１３】
1998106749.tif 000013
（式中、Ｘ及びＹは、Ｏ、Ｓ、ＳＯ2、ＣＨ2、ＣＨＲ１、ＣＲ２Ｒ３またはＮＲ４であり、かつＲ１、Ｒ２、Ｒ３及びＲ４は、個々に、水素、１から２４炭素原子の飽和脂肪族基、６から２０炭素原子のアリールまたはヘテロ原子置換アリール、またはハロゲンであり；あるいは、Ｒ１、Ｒ２、Ｒ３及びＲ４は、個々に、縮合芳香環を完成するために必要な原子である）
である請求項１記載の有機エレクトロルミネセンスデバイス。
【請求項１０】
前記結合単位Ｂが、下記式：
【化１４】
1998106749.tif 000014
（式中、Ｚは、ＯまたはＣ（ＣＮ）2であり、Ｘは、Ｏ、Ｓ、ＳＯ2、ＣＨ2、ＣＨＲ１、ＣＲ２Ｒ３またはＮＲ４であり、かつＲ１、Ｒ２、Ｒ３及びＲ４は、個々に、水素、１から２４炭素原子の飽和脂肪族基、６から２０炭素原子のアリールまたはヘテロ原子置換アリール、またはハロゲンであり；あるいは、ＮＲ４、Ｒ１、Ｒ２、Ｒ３及びＲ４は、個々に、縮合芳香環を完成するために必要な原子である）
である請求項１記載の有機エレクトロルミネセンスデバイス。
【請求項１１】
下記式：
【化１５】
1998106749.tif 000015
[上記式（Ｉ）において、
ｎは３から８の整数であり、
ＺはＯ、ＮＲ、またはＳであり、
Ｒ及びＲ’は、個々に、水素、１から２４の炭素原子を持つアルキル、５から２０炭素原子のアリールまたはヘテロ原子置換アリール、または、ハロゲン、または縮合芳香環を完成するのに必要な原子であり、
結合単位Ｂは、以下の群：
第１群：
【化１６】
1998106749.tif 000016
【化１７】
1998106749.tif 000017
または
第２群：
【化１８】
1998106749.tif 000018
または
第３群：
【化１９】
1998106749.tif 000019
【化２０】
1998106749.tif 000020
または
第４群：
【化２１】
1998106749.tif 000021
または
第５群：
【化２２】
1998106749.tif 000022
または
第６群：
【化２３】
1998106749.tif 000023
（式中、Ｚは、ＯまたはＣ（ＣＮ）2である）
または
第７群：
【化２４】
1998106749.tif 000024
（式中、Ｘは、Ｏ、Ｓ、ＳＯ2、ＣＨ2、ＣＨＲ１、ＣＲ２Ｒ３またはＮＲ４であり、かつＲ１、Ｒ２、Ｒ３及びＲ４は、個々に、水素、１から２４炭素原子の飽和脂肪族基、６から２０炭素原子のアリールまたはヘテロ原子置換アリール、またはハロゲンであり；あるいは、Ｒ１、Ｒ２、Ｒ３及びＲ４は、個々に、縮合芳香環を完成するために必要な原子である）
または
第８群：
【化２５】
1998106749.tif 000025
（式中、Ｚは、ＯまたはＣ（ＣＮ）2である）
【化２６】
1998106749.tif 000026
（式中、Ｘ及びＹは、Ｏ、Ｓ、ＳＯ2、ＣＨ2、ＣＨＲ１、ＣＲ２Ｒ３またはＮＲ４であり、かつＲ１、Ｒ２、Ｒ３及びＲ４は、個々に、水素、１から２４炭素原子の飽和脂肪族基、６から２０炭素原子のアリールまたはヘテロ原子置換アリール、またはハロゲンであり；あるいは、Ｒ１、Ｒ２、Ｒ３及びＲ４は、個々に、縮合芳香環を完成するために必要な原子である）
または
第９群：
【化２７】
1998106749.tif 000027
（式中、Ｚは、ＯまたはＣ（ＣＮ）2であり、Ｘは、Ｏ、Ｓ、ＳＯ2、ＣＨ2、ＣＨＲ１、ＣＲ２Ｒ３またはＮＲ４であり、かつＲ１、Ｒ２、Ｒ３及びＲ４は、個々に、水素、１から２４炭素原子の飽和脂肪族基、６から２０炭素原子のアリール、またはハロゲンであり；あるいは、Ｒ１、Ｒ２、Ｒ３及びＲ４は、個々に、縮合芳香環を完成するために必要な原子である）
のひとつから選んだ部分である]
で表されるベンザゾール化合物を含有することを改良点とする、電子デバイス用電子伝達層。
【請求項１２】
電極と、下記式：
【化２８】
1998106749.tif 000028
[上記式（Ｉ）において、
ｎは２から８の整数であり、
ＺはＯ、ＮＲ、またはＳであり、
Ｒ及びＲ’は、個々に、水素、１から２４の炭素原子を持つアルキル、５から２０炭素原子のアリールまたはヘテロ原子置換アリール、または、ハロゲン、または縮合芳香環を完成するのに必要な原子であり、
結合単位Ｂは、以下の群：
【化２９】
1998106749.tif 000029
【化３０】
1998106749.tif 000030
【化３１】
1998106749.tif 000031
（式中、Ｚは、ＯまたはＣ（ＣＮ）2である）
【化３２】
1998106749.tif 000032
（式中、Ｘは、Ｏ、Ｓ、ＳＯ2、ＣＨ2、ＣＨＲ１、ＣＲ２Ｒ３またはＮＲ４であり、かつＲ１、Ｒ２、Ｒ３及びＲ４は、個々に、水素、１から２４炭素原子の飽和脂肪族基、６から２０炭素原子のアリールまたはヘテロ原子置換アリール、またはハロゲンであり；あるいは、Ｒ１、Ｒ２、Ｒ３及びＲ４は、個々に、縮合芳香環を完成するために必要な原子である）
【化３３】
1998106749.tif 000033
（式中、Ｚは、ＯまたはＣ（ＣＮ）2である）及び
【化３４】
1998106749.tif 000034
（式中、Ｘ及びＹは、Ｏ、Ｓ、ＳＯ2、ＣＨ2、ＣＨＲ１、ＣＲ２Ｒ３またはＮＲ４であり、かつＲ１、Ｒ２、Ｒ３及びＲ４は、個々に、水素、１から２４炭素原子の飽和脂肪族基、６から２０炭素原子のアリールまたはヘテロ原子置換アリール、またはハロゲンであり；あるいは、Ｒ１、Ｒ２、Ｒ３及びＲ４は、個々に、縮合芳香環を完成するために必要な原子である）
【化３５】
1998106749.tif 000035
（式中、Ｚは、ＯまたはＣ（ＣＮ）2であり、Ｘは、Ｏ、Ｓ、ＳＯ2、ＣＨ2、ＣＨＲ１、ＣＲ２Ｒ３またはＮＲ４であり、かつＲ１、Ｒ２、Ｒ３及びＲ４は、個々に、水素、１から２４炭素原子の飽和脂肪族基、６から２０炭素原子のアリール、またはハロゲンであり；あるいは、Ｒ１、Ｒ２、Ｒ３及びＲ４は、個々に、縮合芳香環を完成するために必要な原子である）
のひとつから選んだ部分である]
で表されるベンザゾール化合物を含有する少なくとも１つの電子伝達層とを具備する有機エレクトロルミネセンスデバイス。
【手続補正２】
【補正対象書類名】明細書
【補正対象項目名】００３７
【補正方法】変更
【補正の内容】
【００３７】
第７群：
【化１】
1998106749.tif 000036
式中、Ｘは、Ｏ、Ｓ、ＳＯ2、ＣＨ2、ＣＨＲ１、ＣＲ２Ｒ３またはＮＲ４であり、かつＲ１、Ｒ２、Ｒ３及びＲ４は、個々に、水素、１から２４炭素原子の飽和脂肪族基、例えばプロピル、ｔ-ブチル、ヘプチル等、６から２０炭素原子のアリール基、例えばフェニル及びナフチル等、またはハロゲン、例えばクロロ、フルオロ等であり；あるいは、Ｒ１、Ｒ２、Ｒ３及びＲ４は、個々に、縮合芳香環を完成するために必要な原子である。
【手続補正３】
【補正対象書類名】明細書
【補正対象項目名】００３８
【補正方法】変更
【補正の内容】
【００３８】
第８群：
【化２】
1998106749.tif 000037
式中、Ｚは、Ｏまたは  Ｃ（ＣＮ）2である。
【化３】
1998106749.tif 000038
式中、Ｘ及びＹは、Ｏ、Ｓ、ＳＯ2、ＣＨ2、ＣＨＲ１、ＣＲ２Ｒ３またはＮＲ４であり、かつＲ１、Ｒ２、Ｒ３及びＲ４は、個々に、水素、１から２４炭素原子の飽和脂肪族基、例えばプロピル、ｔ-ブチル、ヘプチル等、６から２０炭素原子のアリール基、例えばフェニル及びナフチル等、またはハロゲン、例えばクロロ、フルオロ等であり；あるいは、Ｒ１、Ｒ２、Ｒ３及びＲ４は、個々に、縮合芳香環を完成するために必要な原子である。
【手続補正４】
【補正対象書類名】明細書
【補正対象項目名】００３９
【補正方法】変更
【補正の内容】
【００３９】
第９群：
【化４】
1998106749.tif 000039
【化５】
1998106749.tif 000040
式中、Ｚは、ＯまたはＣ（ＣＮ）2であり、Ｘは、Ｏ、Ｓ、ＳＯ2、ＣＨ2、ＣＨＲ１、ＣＲ２Ｒ３またはＮＲ４であり、かつＲ１、Ｒ２、Ｒ３及びＲ４は、個々に、水素、１から２４炭素原子の飽和脂肪族基、例えばプロピル、ｔ-ブチル、ヘプチル等であり、６から２０炭素原子のアリール基、例えばフェニル 及びナフチル等、またはハロゲン、例えばクロロ、フルオロ等であり；あるいは、Ｒ１、Ｒ２、Ｒ３及びＲ４は、個々に、縮合芳香環を完成するために必要な原子である。